(57)【要約】      （修正有）【課題】携帯電話装置の保護枠底部構造を提供する。【解決手段】保護枠１と機能板２から構成され、上記保護枠に、電子設備３が組立てられ、保護枠の主枠体１１の一側において、外へ、組立て枠体が延び、組立て枠体の内縁に、凹むようにスロット１３が設けられ、機能板が、スロットに挿設される。さらに、上記機能板の板体２１の外径が、組立て枠体１２より小さく、上記板体に、移動電源２３が設置され、上記移動電源に、充電スロットが接続され、これにより、板体が、スロット１３に挿設されて、充電プラグ２４を電子設備３の充電孔３２に挿設でき、充電の携行利便性が実現する。【選択図】図３
0003181870.tif 000002
【実用新案登録請求の範囲】
【請求項１】
保護枠と機能板とからなる保護枠底部構造であって、
上記保護枠が電子設備を保護し、保護枠の主枠体が、電子設備に組立てられ、機能板が結合され、
上記機能板が、板体と移動電源、充電プラグ及び貫通孔からなり、上記板体が、保護枠の主枠体に結合され、上記板体に、移動電源が設置され、上記移動電源の一端に、充電プラグが接続され、上記充電プラグを、電子設備の充電孔に挿設して、充電することを特徴とする保護枠底部構造。
【請求項２】
上記保護枠の主枠体の一側において、外へ組立て枠体が延び、上記組立て枠体の内縁に、凹むようにスロットが形成され、上記組立て枠体に、開口端があり、上記機能板の板体の一端に、突縁が形成され、機能板の板体が、開口端から、スロットに挿入でき、また、突縁が、開口端に係止されることを特徴とする請求項１に記載の保護枠底部構造。
【請求項３】
上記機能板の移動電源に、ソーラーパネルが組立てられ、ソーラーパネルから、移動電源に対して、電力を供給できることを特徴とする請求項１に記載の保護枠底部構造。
【請求項４】
上記板体内において、装却可能の装飾面が設置され、上記装飾面に、図柄が形成され、上記板体が、スロットに挿入されると、装飾面が、外へ向かって装飾効果が得られることを特徴とする請求項１に記載の保護枠底部構造。
【請求項５】
機能板の装飾面に、カードが嵌設され、上記のカードが、スイカやストアドバリューカード及びメモリカードであることを特徴とする請求項６に記載の保護枠底部構造。
【考案の詳細な説明】
【技術分野】
【０００１】
本考案は、電子装置の保護枠底部構造に関するものであり、さらに詳しくは、携帯電話機のケースに結合される構造に関するものである。
【背景技術】
【０００２】
従来のｉＰｈｏｎｅ４に適用して保護する手段としては、裏面保護板と、上記裏面保護板の左、右両側に接続される左側保護板及右側保護板が提案されている。その保護カバーによれば、上記裏面保護板の上端縁と下端縁において、それぞれ、一又は二以上の上部突出係止部と下部突出係止部が湾曲されて形成され、それにより、携帯電話機に実装され、また、その裏面保護板と左、右保護板によって覆われ、携帯電話機の裏面と両側から嵌合されるように構成されている。
【０００３】
しかし、上記の携帯電話保護カバーは、携帯電話機本体を保護するものであり、充電のために携行する充電器を保護するものではない。また、保護ケースの意匠の装飾効果には、ケースの色や図柄を変化させることしかできず、実用的なものとは言えない。
【０００４】
携帯電話機の保護カバーには、各種の提案がされているが、例えば、特開平１０−１５５５３３号公報（以下、「特許文献１」という。）には、携帯電話機本体の上体部に嵌着される第１のカバー部材と、下体部に嵌着される第２のカバー部材と、アンテナの先端を覆う第３のカバー部材とで構成されていた携帯電話機の保護カバーが記載されている。
【０００５】
また、特開２００８−３２９８７号公報（以下、「特許文献２」という。）には、充電用端子を有する携帯電話機の外装を構成するケースに取着される保護カバーが記載されている。
【０００６】
しかし、特許文献１、２には、いずれにも携帯電話機ケースの機能板を変換できるような構成については開示がない。
【特許文献１】特開平１０−１５５５３３号公報
【特許文献２】特開２００８−３２９８７号公報
【考案の開示】
【考案が解決しようとする課題】
【０００７】
本考案の課題は、有効に携帯電話機ケースの機能板を変換できる保護枠構造の保護枠底部構造を提供することにある。
【課題を解決するための手段】
【０００８】
かくして、請求項１の考案によれば、保護枠と機能板とからなる保護枠底部構造であって、上記保護枠が電子設備を保護し、保護枠の主枠体が、電子設備に組立てられ、機能板が結合され、上記機能板が、板体と移動電源、充電プラグ及び貫通孔からなり、上記板体が、保護枠の主枠体に結合され、上記板体に、移動電源が設置され、上記移動電源の一端に、充電プラグが接続され、上記充電プラグを、電子設備の充電孔に挿設して、充電することを特徴とする保護枠底部構造が提供される。
【０００９】
請求項２の考案によれば、上記保護枠の主枠体の一側において、外へ組立て枠体が延び、上記組立て枠体の内縁に、凹むようにスロットが形成され、上記組立て枠体に、開口端があり、上記機能板の板体の一端に、突縁が形成され、機能板の板体が、開口端から、スロットに挿入でき、また、突縁が、開口端に係止されることを特徴とする請求項１に記載の保護枠底部構造が提供される。
【００１０】
請求項３の考案によれば、上記機能板の移動電源に、ソーラーパネルが組立てられ、ソーラーパネルから、移動電源に対して、電力を供給できることを特徴とする請求項１に記載の保護枠底部構造が提供される。
【００１１】
請求項４の考案によれば、上記板体内において、装却可能の装飾面が設置され、上記装飾面に、図柄が形成され、上記板体が、スロットに挿入されると、装飾面が、外へ向かって装飾効果が得られることを特徴とする請求項１に記載の保護枠底部構造が提供される。
【００１２】
請求項５の考案によれば、機能板の装飾面に、カードが嵌設され、上記のカードが、スイカやストアドバリューカード及びメモリカードであることを特徴とする請求項６に記載の保護枠底部構造が提供される。
【考案の効果】
【００１３】
本考案は、上記の通りの構成からなるものであり、機能板に、電子装置の保護機能に加えて、移動電源又は異なる機能を発揮させることができるなど、携帯性に優れ、また、種々の多様化装飾機能も発揮させることができる。
【考案を実施するための最良の形態】
【００１４】
以下、図面を参照しながら、本考案の特徴や技術内容について、詳しく説明するが、それらの図面等は、参考や説明のためであり、本考案は、それによって限定されるものではない。
【００１５】
図１のように、本考案は、保護枠１と機能板２とからなる保護底部構造であって、
上記保護枠１は、電子設備３のケースを保護し、主枠体１１と組立て枠体１２、スロット１３及び開口端１４からなり、上記主枠体１１が、電子設備３に組立てられ、上記主枠体１１の一側において、外方へ組立て枠体１２が延び、上記組立て枠体１２の外径が、主枠体１１と一致し、組立て枠体１２の内縁に、凹むようにスロット１３が形成され、上記組立て枠体１２に、更に、開口端１４があり、機能板２が、開口端１４によりスロット１３に挿設され、
上記機能板が、保護枠１のスロット１３に組立てられ、板体２１と突縁２２、移動電源２３、充電プラグ２４及び貫通孔２５からなり、外径が、保護枠１の組立て枠体１２より小さい板体２１があり、上記板体２１の一端に、突縁２２が形成され、上記板体２１が、スロット１３に挿設され、突縁１３が、組立て枠体１２の開口端１４に係止され、上記板体２１に、更に、移動電源２３が設置され、上記の移動電源２３が、電子設備３に適用する電源供給器で、上記移動電源２３の一端に、充電プラグ２４が接続され、上記板体２１に、更に、貫通孔２５が形成され、
図１と図２に示すように、電子設備３を保護枠１の主枠体１１に組立てて、機能板２の板体２１を、スロット１３に挿設し、（図３のように）貫通孔２５を、電子設備３のレンズ３１に対応させ、充電プラグ２４が、電子設備３の充電孔３２に挿設されることにより、携行しながら、充電することが実現され、また、上記移動電源２３と電子設備３とを、同時に携行することにより、充電機能が、より便利になる。
【００１６】
図４のように、上記機能板２の移動電源２３に、ソーラーパネル２３１が組立てられて、上記ソーラーパネル２３１により、光を電力に変換して移動電源２３に電力を供給し格納してもよい。
【００１７】
図５は、機能板２の他の実施例であり、上記実施例の機能板２の板体２１に、装飾面２６が設置され、上記装飾面２６にある文字や図案により、装飾効果が向上し、また、上記装飾面２６は、板体２１をスロット１３に挿設されると、上記装飾面２６が、外方へ向かって、装飾効果が得られ、また、上記装飾面２６を変換することができ、装飾効果がより多様化になり、図６のように、板体２１と装飾面２６とが、別々に設置される。板体２１に、貫通孔２１１が形成され、上記貫通孔２１１の内縁に、嵌合溝２１２が形成され、上記装飾面２６を、任意に、嵌合溝２１２に係止することやそれから取り外すことができる。これにより、上記板体２１に、任意に、異なる図柄を有する装飾面２６を組立てることができ、機能板２の作製コストを低減することができる。
【００１８】
また、図７は、機能板２の装飾面２６の他の実施例を示すものである。上記実施例の装飾面２６に、格子フィルムが用いられ、これにより、装飾面２６にある図柄が、より立体的になる効果が得られ、装飾の多様化効果が実現される。
【００１９】
また、図８は、機能板２の装飾面２６の更に他の実施例であり、上記実施例の装飾面２６に、カード２７が嵌設される。上記のカード２７が、スイカやストアドバリューカードで、（図９のように）上記カード２７が、メモリカードでもよく、メモリカードであれば、上記カード２７に、ＵＳＢプラグ２８が接続され、携行式メモリとして、利用できる。そのため、カード２７を、電子設備３と一緒に携行することにより、有効に、携行便利性が向上する。
【００２０】
本考案によれば、保護枠の主枠体の一側から、組立て枠体が延び、上記組立て枠体のスロットに機能板が組立てられ、上記の機能板に、移動電源や任意に変換できる図柄と、異なる機能を発揮できる装飾面が実装されることにより、一つの保護枠で、電源を携行できる。また、図柄を変換でき、より便利的な携行性や多様化装飾機能が実現され、同時に、上記機能板により、電子設備を保護する機能を向上され、より経済的になる、等の利点が得られる。
【００２１】
以上は、本考案のより良い実施例であり、本考案は、それによって限定されるものではなく、本考案に係わる実用新案登録請求の範囲や明細書の内容に基づいて行った等価の変更や修正は、全てが、本考案の範囲内に含まれる。
【図面の簡単な説明】
【００２２】
【図１】本考案の一実施形態による保護枠底部構造の保護枠と機能板の分解斜視図である。
【図２】本考案の一実施形態による保護枠底部構造の保護枠と機能板を組立てた後の断面図である。
【図３】本考案の一実施形態による保護枠底部構造の保護枠と機能板を組立てた後の斜視図である。
【図４】本考案の一実施形態による保護枠底部構造の機能板に組立てられたソーラーパネルの分解斜視図である。
【図５】本考案の一実施形態による保護枠底部構造の保護枠と機能板を組立てた後の他の斜視図である。
【図６】本考案の一実施形態による保護枠底部構造の機能板の装却可能な装飾面の分解斜視図である。
【図７】本考案の一実施形態による保護枠底部構造の機能板の装飾面に立体効果が得られる状態の斜視図である。
【図８】本考案の一実施形態による保護枠底部構造の機能板の装飾面に結合されたカードの斜視図である。
【図９】本考案の一実施形態による保護枠底部構造の機能板の装飾面に結合されたカードとＵＳＢプラグの斜視図である。
【符号の説明】
【００２３】
１  保護枠
１１  主枠体
１２  組立て枠体
１３  スロット
１４  開口端
２  機能板
２１  板体
２１１  貫通孔
２１２  嵌合溝
２２  突縁
２３  移動電源
２３１  ソーラーパネル
２４  充電プラグ
２５  貫通孔
２６  装飾面
２７  カード
２８  ＵＳＢプラグ
３  電子設備
３１  レンズ
３２  充電孔
【図１】
0003181870.tif 000003
【図２】
0003181870.tif 000004
【図３】
0003181870.tif 000005
【図４】
0003181870.tif 000006
【図５】
0003181870.tif 000007
【図６】
0003181870.tif 000008
【図７】
0003181870.tif 000009
【図８】
0003181870.tif 000010
【図９】
0003181870.tif 000011
【手続補正書】
【提出日】平成24年12月20日(2012.12.20)
【手続補正１】
【補正対象書類名】実用新案登録請求の範囲
【補正対象項目名】全文
【補正方法】変更
【補正の内容】
【実用新案登録請求の範囲】
【請求項１】
保護枠と機能板とからなる保護枠底部構造であって、
上記保護枠が電子設備を保護し、保護枠の主枠体が、電子設備に組立てられ、機能板が結合され、
上記機能板が、板体と移動電源、充電プラグ及び貫通孔からなり、上記板体が、保護枠の主枠体に結合され、上記板体に、移動電源が設置され、上記移動電源の一端に、充電プラグが接続され、上記充電プラグを、電子設備の充電孔に挿設して、充電することを特徴とする保護枠底部構造。
【請求項２】
上記保護枠の主枠体の一側において、外へ組立て枠体が延び、上記組立て枠体の内縁に、凹むようにスロットが形成され、上記組立て枠体に、開口端があり、上記機能板の板体の一端に、突縁が形成され、機能板の板体が、開口端から、スロットに挿入でき、また、突縁が、開口端に係止されることを特徴とする請求項１に記載の保護枠底部構造。
【請求項３】
上記機能板の移動電源に、ソーラーパネルが組立てられ、ソーラーパネルから、移動電源に対して、電力を供給できることを特徴とする請求項１に記載の保護枠底部構造。
【請求項４】
上記板体内において、装却可能の装飾面が設置され、上記装飾面に、図柄が形成され、上記板体が、スロットに挿入されると、装飾面が、外へ向かって装飾効果が得られることを特徴とする請求項１に記載の保護枠底部構造。
【請求項５】
機能板の装飾面に、カードが嵌設され、上記のカードが、ストアドバリューカード及びメモリカードであることを特徴とする請求項１に記載の保護枠底部構造。
【手続補正２】
【補正対象書類名】明細書
【補正対象項目名】００１２
【補正方法】変更
【補正の内容】
【００１２】
請求項５の考案によれば、機能板の装飾面に、カードが嵌設され、上記のカードが、ストアドバリューカード及びメモリカードであることを特徴とする請求項１に記載の保護枠底部構造が提供される。
【手続補正３】
【補正対象書類名】明細書
【補正対象項目名】００１９
【補正方法】変更
【補正の内容】
【００１９】
また、図８は、機能板２の装飾面２６の更に他の実施例であり、上記実施例の装飾面２６に、カード２７が嵌設される。上記のカード２７が、ストアドバリューカードで、（図９のように）上記カード２７が、メモリカードでもよく、メモリカードであれば、上記カード２７に、ＵＳＢプラグ２８が接続され、携行式メモリとして、利用できる。そのため、カード２７を、電子設備３と一緒に携行することにより、有効に、携行便利性が向上する。